(57)【要約】【課題】籾摺選別機の選別風供給において全幅均等化をはかる。【解決手段】選別風を籾摺ロール７，７部下方に形成される摺落米風選路１０を流通すべく該風選路１０を摺落米受樋１２から徐々に上方傾斜して吸引ファン胴１３ａに至る傾斜棚３０の吸引ファン１３に接近する部分のうち、ファン胴１３ａに対応する中央の幅部分Ｗを、傾斜板面に沿う状態とし、左・右側のファン胴１３ａから外れる部分をその終端部を上方に折曲して立上り縁３２に構成することにより、選別風の一部を堰き止めながら全幅に選別風を行き渡らせる。【選択図】                図３
2004174382.tif 000002
【特許請求の範囲】
【請求項１】
籾摺部１からの摺落米を風選する摺落米風選部２、摺落米風選部２での風選後の混合米を籾・玄米に分離選別する選別部３等により構成される籾摺選別機において、選別風を起風する吸引ファン１３を囲うファン胴１３ａを機体幅よりやや幅狭く形成し、該ファン胴１３ａと左右機壁との間の間隔部にのぞませて該吸引ファン１３への吸気口１３ｂを開口し、該吸引ファン１３の起風に伴なう選別風を籾摺ロール７，７部下方に形成される摺落米風選路１０を流通すべく該風選路１０を摺落米受樋１２から徐々に上方傾斜して吸引ファン胴１３ａに至る傾斜棚３０、機体左右側壁、機体上壁等によって構成し、該傾斜棚３０の吸引ファン１３に接近する部分のうち、ファン胴１３ａに対応する中央の幅部分Ｗを、傾斜板面に沿う状態とし、左・右側のファン胴１３ａから外れる部分をその終端部を上方に折曲して立上り縁３２に構成したことを特徴とする籾摺選別機の風選装置。
【請求項２】
籾摺部１からの摺落米を風選する摺落米風選部２、摺落米風選部２での風選後の混合米を籾・玄米に分離選別する選別部３等により構成される籾摺選別機において、選別風を起風する吸引ファン１３を囲うファン胴１３ａを機体幅よりやや幅狭く形成し、該ファン胴１３ａと左右機壁との間の間隔部にのぞませて該吸引ファン１３への吸気口１３ｂを開口し、該吸引ファン１３の起風に伴なう選別風を籾摺ロール７，７部下方に形成される摺落米風選路１０を流通すべく該風選路１０を摺落米受樋１２から徐々に上方傾斜して吸引ファン胴１３ａに至る傾斜棚３０、機体左右側壁、機体上壁等によって構成し、該傾斜棚３０の吸引ファン１３に接近する部分のうち、左・右側のファン胴１３ａから外れる部分をその終端部を上方に折曲して立上り縁３２に構成し、ファン胴１３ａに対応する中央の幅部分Ｗを左右側よりも低く形成したことを特徴とする籾摺選別機の風選装置。
【発明の詳細な説明】
【０００１】
【発明の属する技術分野】
この発明は、籾摺選別機の風選装置に関するものである。
【０００２】
【従来の技術】
従来の籾摺選別機の風選装置は、機体幅よりもやや狭い幅の吸引ファン胴の側面側に吸気口を有して内部のファンの回転に伴なって選別風を起風する構成であり、かつ選別風は摺落米風選路に沿って流通しその終端から左右に分岐して上記吸気口に導入される構成である。
【０００３】
【特許文献１】
特開２００１−３４０７７４号公報
【０００４】
【発明が解決しようとする課題】
したがって、左右に分岐するために風選路の全幅に渡って一定の選別風を生じ難く、特に中央部側が左・右側に対して風量が不足しがちで所定の選別を得られない欠点があった。
【０００５】
そこで、この発明はこのような不具合を解消しようとするものである。
【０００６】
【課題を解決するための手段】
前記問題点を解決するために、次のような技術的手段を講じた。
請求項１に記載の発明は、籾摺部１からの摺落米を風選する摺落米風選部２、摺落米風選部２での風選後の混合米を籾・玄米に分離選別する選別部３等により構成される籾摺選別機において、選別風を起風する吸引ファン１３を囲うファン胴１３ａを機体幅よりやや幅狭く形成し、該ファン胴１３ａと左右機壁との間の間隔部にのぞませて該吸引ファン１３への吸気口１３ｂを開口し、該吸引ファン１３の起風に伴なう選別風を籾摺ロール７，７部下方に形成される摺落米風選路１０を流通すべく該風選路１０を摺落米受樋１２から徐々に上方傾斜して吸引ファン胴１３ａに至る傾斜棚３０、機体左右側壁、機体上壁等によって構成し、該傾斜棚３０の吸引ファン１３に接近する部分のうち、ファン胴１３ａに対応する中央の幅部分Ｗを、傾斜板面に沿う状態とし、左・右側のファン胴１３ａから外れる部分をその終端部を上方に折曲して立上り縁３２に構成したことを特徴とする。
【０００７】
これによって、ファン胴１３ａに対応する中央の幅部分Ｗは、傾斜板面に沿う状態とされるのに対し、左・右側のファン胴１３ａから外れる部分は、その終端部を上方に折曲して立上り縁３２を構成し、選別風を一部堰き止めされる。従って、傾斜棚３０の終端側においては、左右中央部は傾斜面に略沿い、左・右側は立上り縁３２を形成するから、選別風の一部を立上り縁３２の一側における部分に導入部を呈し、立上り縁３２に衝突する傾斜棚３０沿いの選別風は衝突後導入部側に引かれて吸引ファン胴１３ａ内に至るものである。
【０００８】
請求項２に記載の発明は、籾摺部１からの摺落米を風選する摺落米風選部２、摺落米風選部２での風選後の混合米を籾・玄米に分離選別する選別部３等により構成される籾摺選別機において、選別風を起風する吸引ファン１３を囲うファン胴１３ａを機体幅よりやや幅狭く形成し、該ファン胴１３ａと左右機壁との間の間隔部にのぞませて該吸引ファン１３への吸気口１３ｂを開口し、該吸引ファン１３の起風に伴なう選別風を籾摺ロール７，７部下方に形成される摺落米風選路１０を流通すべく該風選路１０を摺落米受樋１２から徐々に上方傾斜して吸引ファン胴１３ａに至る傾斜棚３０、機体左右側壁、機体上壁等によって構成し、該傾斜棚３０の吸引ファン１３に接近する部分のうち、左・右側のファン胴１３ａから外れる部分をその終端部を上方に折曲して立上り縁３２’に構成し、ファン胴１３ａに対応する中央の幅部分Ｗを左右側よりも低く形成したことを特徴とする。
【０００９】
これによって、ファン胴１３ａに対応する中央の幅部分Ｗは、低く形成される状態とされるのに対し、左・右側のファン胴１３ａから外れる部分は、その終端部を上方に折曲して立上り縁３２’を構成し、選別風を一部堰き止めされる。従って、左・右側は立上り縁３２’を形成するから、傾斜棚３０の終端側においては、選別風の一部を立上り縁３２’の一側における部分に導入部を呈し、立上り縁３２’に衝突する傾斜棚３０沿いの選別風は衝突後導入部側に引かれて吸引ファン胴１３ａ内に至るものである。
【００１０】
【発明の効果】
上記請求項１及び請求項２に記載の発明によれば、傾斜棚の終端部で左右側に立上り縁を適宜高さに設けるから、選別風のうち傾斜棚に沿う左右側の部分は衝突によって流通を堰き止められ内側によって吸引されるため中央の部分の風量確保に寄与し、全巾においてバランスのよい選別風を得られる。
【００１１】
【発明の実施の形態】
以下、図面に示すこの発明の実施例の形態について説明する。
まず、図１に基づき、籾摺選別機の全体構成について説明する。
籾摺選別機は、籾摺部１、籾摺部１からの摺落米を風選する摺落米風選部２、摺落米風選部２での風選後の混合米を籾・玄米に分離選別する揺動選別部３、穀粒を揚穀する混合米揚穀機４及び玄米揚穀機５等により構成されている。
【００１２】
籾摺部１は、上部の籾ホッパ６、籾摺ロ−ル７，７の内装されている籾摺室８等で構成されている。摺落米風選部２は、摺落米風選箱９、摺落米風選路１０、粃受樋１１、摺落米受樋１２、吸引フアン１３、排塵筒１４等により構成されている。
【００１３】
次に、揺動選別部３について説明する。多段の揺動選別板１５，…には、板面に選別用の凹凸が形成されていて、横方向の一側を高い供給側、他側を低い排出側とし、横方向に直交する縦方向の一方側を高い揺上側、反対側を低い揺下側として、揺動選別板１５の縦横２方向ともに傾斜した構成とし、揺動選別板１５，…は揺動アーム，揺動リンクから構成されている揺動装置で、横方向斜め上下に往復揺動される構成である。
【００１４】
この揺動選別板１５，…の供給側には供給口が構成されていて、摺落米受樋１２の混合米が混合米揚穀機４，混合米タンク２４，分配供給樋１６及び分配ケース１７を経由して、供給口を経て揺動選別板１５，…に供給される構成である。揺動選別板１５，…に供給された混合米は、粒形の大小，比重の大小，摩擦係数の大小等の関係で、比重の重い小形の玄米は揺上側に偏流分布し、また、玄米に比較して大形で比重の軽い籾は、揺下側に偏流分布し、また、その中間部には分離されない籾・玄米の混合米が分布しながら選別される。しかして、これらの選別穀粒は、揺動選別板１５の排出側に設けられている玄米仕切板１８及び籾仕切板１９で仕切られて取り出される。
【００１５】
取り出された玄米は、玄米取出樋２０，玄米流路２１，玄米揚穀機５を経て機外に取り出され、また、混合米は混合米取出樋２２，混合米流路２３，摺落米受樋１２，混合米揚穀機４，混合米タンク２４，分配供給樋１６，分配ケース１７を経て、揺動選別板１５，…に再度供給されて再選別される。また、取り出された籾は、籾取出樋２５，籾流路２６，籾揚穀機２７を経て籾摺部１に揚穀還元されて、再度の籾摺がなされる構成である。
【００１６】
次に、図２及び図３に基づき摺落米風選部２の構成について詳細に説明する。吸引ファン１３を囲うファン胴１３ａは、機体幅よりやや幅狭く形成され、該ファン胴１３ａと左右機壁との間に間隔部を設け、この間隔部にのぞませて吸引ファン１３への吸気口１３ｂを開口してなり、プレート型のファン１３の駆動に伴なってこの側部の吸気口１３ｂから吸引し選別風を起風する構成である。なお、吸引された選別風は吐出口１３ｃから上方に接続する前記排塵筒１４にて排出案内されて適宜機外に排出される構成である。該吸引ファン１３の起風に伴なう選別風は、籾摺ロール７，７部下方に形成される摺落米風選路１０を流通するものとなるが、該風選路１０は、摺落米受樋１２から徐々に上方傾斜して吸引ファン胴１３ａに至る傾斜棚３０、機体左右側壁、機体上壁等によってこの摺落米風選路１０を構成するものである。
【００１７】
上記傾斜棚３０途中は粃受口３１に構成される。即ち、機体左右幅に亘る該受口３１は、案内流路を経て粃受樋１１に連通させている。
また、該傾斜棚３０の吸引ファン１３に接近する部分は、図３のように構成されている。即ち、ファン胴１３ａに対応する中央の幅部分Ｗは、傾斜板面に沿う状態とされるのに対し、左・右側のファン胴１３ａから外れる部分は、その終端部を上方に折曲して立上り縁３２を構成し、選別風を一部堰き止めしうる構成としている。従って、傾斜棚３０の終端側においては、左右中央部は傾斜面に略沿い、左・右側は立上り縁３２を形成するから、選別風の一部を立上り縁３２の一側における部分に略三角形状の導入部３３を呈するものである。
【００１８】
上記の構成とすると、選別風は立上り縁３２で一部堰き止めされる。従って、傾斜棚３０の終端側においては、左右中央部は傾斜面に略沿い、左・右側は立上り縁３２を形成するから、選別風の一部を立上り縁３２の一側における部分に導入部を呈し、立上り縁３２に衝突する傾斜棚３０沿いの選別風は衝突後導入部側に引かれて吸引ファン胴１３ａ内に至るものである。
【００１９】
なお、図４は別実施例を示し、傾斜棚３０の最終端を上方に折り曲げて立上り縁３２’とし、吸引ファン胴幅Ｗの部分を適宜切り欠き形成して中央の幅Ｗ部分が左右よりも低く形成されてなるもので、上記構成と同様の作用を奏する。即ち、ファン胴１３ａに対応する中央の幅部分Ｗは、低く形成される状態とされるのに対し、左・右側のファン胴１３ａから外れる部分は、その終端部を上方に折曲して立上り縁３２’を構成し、選別風を一部堰き止めされる。従って、左・右側は立上り縁３２’を形成するから、傾斜棚３０の終端側においては、選別風の一部を立上り縁３２’の一側における部分に導入部を呈し、立上り縁３２’に衝突する傾斜棚３０沿いの選別風は衝突後導入部側に引かれて吸引ファン胴１３ａ内に至るものである。
【００２０】
なお図２において、３４は、前記粃受口３１において、傾斜方向にスライド調整自在に構成され、粃受口３１を広狭に調整設定できる構成としている。該粃受口３１に捕捉された粃は、前記傾斜棚３０と並行状態に形成する案内路３５を経て前記粃受樋１１に回収される構成である。なお、粃受樋１１には移送螺旋を配設し、粃受樋１１の粃を機体一側に移送しうる構成としている。３６は案内路３５に設ける調節弁で、レバー（図示せず）操作によってその開度を調節設定することにより、案内路３５を経て取り出す粃量乃至粃割合を変更調節すると共に、摺落米風選路１０における選別風量を調節設定しうる。
【００２１】
上記のように、粃受口３１を広狭に調節設定しうる構成とすると、粃の取込量が変更設定可能となり、選別風の変動を伴なわない状態での粃取込量を変更できるものとなる。
図２において、符号３７は風力調整弁で、摺落米風選箱９の端部上方に設けられ、支持部中心に回動調節自在に構成され、開口３８からの外気取込量を調整する従来公知の構成である。また、この風力調整弁３７の前方（選別風上手側）には、選別風ガイド３９を配設している。この構成によると、選別風はまずこの選別風ガイド３９をもって摺落米風選箱９内を上方に向けて作用し、この選別風ガイド３９をもってやや下方に方向変更されながら吸引ファン胴１３ａ内に至るものとなる。従って風力調整弁３７で風力を調節設定することにより外気の導入量を変更させる、との本来機能を発揮しながらも、選別風を良好に作用させることができる。
【００２２】
図５，図６は粃調節弁と風力調節弁の自動制御装置を示す。粃受口３１’から粃案内路３４’に至る粃量を検出する粃検出手段４０を設けると共に、該粃案内路３４’に設ける調節弁３６’を制御する制御モータ４１を構成する。一方、風力調節弁３７’も制御モータ４２によって作動すべく構成すると共に、前記選別風ガイド３９に相当する部材には選別風検出手段４３を構成する。粃量検出手段４０は、粃量の多少に対応すべく揺動してその回動量をポテンショメータで検出すべく構成され、選別風検出手段４３は上下方向に配設した複数の感圧部に籾殻等が当接することによって風圧乃至風量を検知できる構成である。
【００２３】
制御部４４は、粃の回収量を予め設定入力しうるよう設定部４５を構成し、該設定量に見合う粃量が案内路３４’を通過しているか否かを検出し、少ないときは調節弁３６’を閉じ方向に制御して粃量を増し、多いときは逆に調節弁３６’を開いて下方導入の外気量を増して粃回収の抵抗を大として粃量を低減する。さらに、制御部４４は、このように調節弁３６’が変更設定される毎に選別風検出手段４３の選別風圧乃至風量を確認して所望の風量が確保されているか否かを監視し、風量が不足するときは、風力調節弁３７’を閉じ方向制御し、逆に風量が大のときは該風力調節弁３７’を開き方向制御する（図７）。なお、選別風検出手段４３を省略し、調節弁３６’位置をポテンショメータ等の検出手段で検出して案内路３４’からの選別風に対する影響度を検出して風力調節弁３７’を制御する形態でもよい。
【００２４】
上記のように、従来別々に調節設定されてはいたが相互に関連付けがないために、選別風への影響が否めなかったが、粃調節弁による調節度合を検出することによって選別風への影響度を検出すべくなし、この影響度に基づいて風量調節弁を制御する構成とすれば、選別風を略一定に制御することができ、選別性能を一定に維持しうるものである。
【００２５】
なお、上記のように、粃の回収量を予め設定入力しうるよう設定部４５を構成し調節弁３６’を調節すれば、粃量を一定化できるが、例えば粃を籾摺部１に還元して処理する場合には該籾摺部１の能率を変化させなくともよくひいては仕上げ米の能率の変動を少なくする。
【００２６】
図５において、更に籾飛散検出手段４６を排塵筒１４に配設し、籾の飛散が多い場合は吸引ファン１３による選別風量を低下すべく構成したものである。具体的には、制御部４３は籾飛散検出手段４６からの籾飛散が設定値（０を含む）以上であると検出されると、前記風力調節弁３７’を開き方向制御する。このようにすると選別風量が低減され、ひいては飛散籾量を低減することができる。なお、風力調節弁３７’に代えて吸引ファン１３の回転数を変更設定できるように構成し、籾飛散が大と検出されるときは該回転数を低下制御するとよい。
【００２７】
図８、図９は、穀物乾燥機に籾摺選別機を装着したときの正面図及び側面縦断面図を示す。穀物乾燥機５１は従来周知の穀物用乾燥機であって、貯留タンク５２，乾燥室５３及び集穀室５６とを重設してなり、上部に配設する貯留タンク５２下方に、流下する穀物に後記バーナ及び吸引ファンにより発生された熱風に晒す多孔板により形成された乾燥室５３を配設し、更にその下方に熱風に晒された穀物を繰出した後、機体前方に配設した昇降機５４に穀物を搬送するための下部搬送装置５５を設けた集穀室５６を設け、貯留タンク５２上方には昇降機５４により搬送された穀物を貯留タンク５２中央に移送する上部搬送装置５７、貯留タンク５２内に穀物を均一に配穀する拡散装置５８が設けられている。
【００２８】
また、乾燥室５３と集穀室５６の間には乾燥室５３内の穀物を定量ずつ集穀室５６に繰り出す定量繰出装置５９が機体前後に架設されており、無端ベルト５４ａにバケット５４ｂを装着した上記昇降機５４の上部近傍には穀物乾燥機５１内の塵埃を除去するための排塵装置６０が配設され、乾燥室５３前後には穀物を乾燥するための熱風を生成する燃焼装置６１、乾燥室５３を通過した熱風を吸引する吸引フアン６２がそれぞれ設けられている。
【００２９】
昇降機５４と上部搬送装置５７との接続部６３は、バケット５４ｂから投擲された穀物を上部搬送装置５７に送る投げ口６３ａと、投げ口６３ａの下方で、上部搬送装置５７上部において開口部６４により連通する風選部６３ｂからなり、風選部６３ｂは上下方向に複数の棚６５が配設され、上端は前記排塵装置６０と接続され、下端は連通口６６により再び上部搬送装置５７に連通する構成である。
【００３０】
また、風選部６３ｂと上記搬送管６６の接合部には排塵装置６０による風選用の外気を導入する開口部６７が設けられている。
７０はインペラ式の脱ぷ装置で、機体前部に架設された取付枠７１に載置された状態で設けられている。このインペラ式脱ぷ装置７０は搬送螺旋７２を設けたモータ軸７３先端に多数の脱ぷ用の樹脂製のインペラ７０ａを設け、インペラ７０ａを覆うケーシング内面にはライニング７０ｂが装填された装置で、籾をインペラ７０ａにより高速に加速し、これをライニング７０ｂに衝突させることにより脱ぷするもので、脱ぷされた穀物を搬送する吐出口７０ｃは前記風選部６３ｂ上部の開口６３ｃと接続されている。
【００３１】
搬送螺旋７２上方の開口部７５は上部搬送装置５７前方の排出漏斗８０と排出筒７６を介して接続され、この排出漏斗８０下面には、上部搬送装置５７に搬送された穀物の搬送経路を前記脱ぷ装置７０へ切り替える切替弁８１が設けられ、さらに、その下方には脱ぷ装置７０か、または機外に穀物を搬送するかを切り換える切替弁８２が設けられている。これら切替弁８１，８２のうち、切替弁８１は制御モータによって開閉のみならず開度を調整設定できる構成である。切替弁８２は開閉動作を行う図外制御モータを備えている。
【００３２】
前記上部搬送装置５７は中央部から更に延長して機体後部側にまで装置としての搬送螺旋を構成し、穀物（玄米）を該後部側から排出シュート８３を経由して取出可能に設けている。なお、８４は貯留タンク２への還元か否かを切る替えるスライドシャッタである。
【００３３】
８５は前記各装置の運転を制御するための制御装置である。
つぎに、作用について説明する。制御装置８５に設けたスイッチにより張り込んだ穀物の乾燥を開始すると、貯留タンク５２内の穀物は定量繰出装置５９により定量繰出されて、乾燥室５３を流下した後、集穀室５６へ送られる。乾燥室５３を流下中の穀物は燃焼装置６１により生成された熱風にて乾燥され、乾燥に使用された熱風は吸引フアン６２により吸引され機外に排出される。
【００３４】
集穀室５６に送られた穀物は下部搬送装置５５により昇降機５４に移送され、バケット５４ｂにより投げ口５３ａを経由して上部搬送螺旋５７に搬送されて、拡散装置５８により貯留タンク５２内に均一に拡散される。上記の穀物の循環は貯留タンク２内の穀物が制御装置５０にて設定した水分値になるまで行われる。
【００３５】
乾燥が終了すると、次に排出作業に入る。制御装置８５に設けた籾摺排出スイッチ８６を押すと、切替弁８２は機外排出側の口を閉じ、排出弁８１が開いて、搬送された穀物が排出筒７６を介してインペラ式脱ぷ装置７０へ搬送される。穀物は搬送螺旋７２によりインペラ７０ａに送られ、インペラ７０ａとライニング７０ｂとにより脱ぷされて、吐出口７０ｃを介して風選部６３ｂに搬送される。風選部６３ｂに吐出された摺落し米は風選部６３ｂ内の棚６５により速度を落としながら落下し、排塵装置６０による開口部６７からの流入外気によって選別され、籾殻は排塵装置６０により機外へ排出され、玄米は連通口６６を経由して再び上部搬送装置５７に送られる。そして、前記制御装置８５によって、切替弁８２，排出弁８１作動と共にシャッタ８４は貯留タンク５２への排出を遮断されているから、搬送玄米はそのまま機体後部側に送られシュート８３を介して回収されるものである。なお回収された玄米は多少の未脱ぷ籾を含むため適宜に選別処理する場合がある。
【００３６】
従来、乾燥した籾を籾摺する際は籾摺機を使用し、この籾摺機を穀物乾燥機とは独立して構成する技術が一般的であるが、実開昭５６−４２３３３号公報にみられるように、乾燥機に籾摺装置を設け、乾燥後に前記籾摺装置により籾摺作業を行う形態がある。
【００３７】
後者の構成では、籾乾燥脱ぷ装置には吸引乾燥機の一側に昇降機を設け、この昇降機側に脱ぷ室、吸引選別室、籾選別室を順次立体的に重設し、一端を吸引選別室に接続し、他端を吸引乾燥機の排気室に接続する吸塵筒を備え、乾燥後籾摺作業を行うとき籾殻を含む塵埃風が前記吸塵筒を流れ、作業場内に飛散されないようにし、また、脱ぷを行う装置として籾摺ロールが使用され、籾選別室にて選別された混合米を再び吸引選別室に搬送するのにスロワが使用されているが、脱ぷ処理後の玄米の搬送について元々乾燥機に備わる構成の兼用化に配慮がなく、図８，９のように構成すると、即ち、上部から貯留タンク５２、乾燥室５３及び集穀室５６の順に重ねて設ける穀物乾燥機であって、穀物を集穀室５６の下部搬送装置５５、機外に設ける昇降機５４及び上部搬送装置５７を経由して貯留タンク５２に戻すよう循環移送しながら乾燥を繰り返し行う穀物乾燥機の当該穀物を循環する経路途中に、乾燥済の穀物を乾燥機の機外へ排出すべく切り替わる切替弁８１を設け、該切替弁８１によって排出される経路にのぞませてインペラ式脱ぷ装置７０を設け、該脱ぷ装置７０によって脱ぷされた穀物を前記上部搬送装置５７を経由して機外に排出すべく構成すると、上部搬送装置５７を延長することによって機体後部側からの玄米取出しが可能となり、従来装着する上部搬送装置の延長という簡単な付加によって改造できるものである。なお、上部搬送装置の延長端は比較的高所にあって、低い位置への排出の際穀物詰りを防いで円滑になし得る。
【図面の簡単な説明】
【図１】籾摺選別機の全体の切断側面図。
【図２】要部の断面図。
【図３】要部の斜視図。
【図４】他の実施例を示す要部の斜視図。
【図５】選別部の側断面図。
【図６】制御ブロック図。
【図７】フローチャート。
【図８】穀物乾燥籾摺機の正面図
【図９】穀物乾燥籾摺機の側面図。
【符号の説明】
１…籾摺部、２…摺落米風選部、３…選別部、１０…摺落米風選路、１２…摺落米受樋、１３…吸引ファン、１３ａ…ファン胴、１３ｂ…吸気口、３０…傾斜棚、Ｗ…幅部分
【図１】
2004174382.tif 000003
【図２】
2004174382.tif 000004
【図３】
2004174382.tif 000005
【図４】
2004174382.tif 000006
【図５】
2004174382.tif 000007
【図６】
2004174382.tif 000008
【図７】
2004174382.tif 000009
【図８】
2004174382.tif 000010
【図９】
2004174382.tif 000011